(57)【特許請求の範囲】
【請求項１】
光源とこの光源の光を偏光する第一偏光フィルタとからなる第一光源部と、
光源とこの光源の光を第一偏光フィルタと偏光角度を変えた第二偏光フィルタとからなる第二光源部と、
第一光源部からの光を透過して第一映像をスクリーンに投影する第一パネル部と、
第二光源部からの光を透過して、第二パネル部から出射される光が第一パネル部から出射される光と偏光角度を変えたものとなるように、第一映像と所定量ずらして第二映像をスクリーンに投影する第二パネル部と、
両パネル部を第一映像と第二映像とを生成するための３Ｄ映像情報に基づいて駆動する３Ｄ映像用駆動部と、
光源、パネル部を含む光路部分を調整する光路調整部と、
制御情報に基づいて、両光源からスクリーンまでの距離に応じて、両光源と両パネルとの距離を調整するように光路調整部を制御する制御部と、
からなる立体映像再生装置。
【請求項２】
３Ｄ映像情報から制御情報を抽出する抽出部をさらに有する請求項１に記載の立体映像再生装置。
【請求項３】
制御情報の入力を受け付ける受付部をさらに有する請求項１又は２に記載の立体映像再生装置。
【請求項４】
両パネル部のうちいずれか一方を停止させ、２Ｄ映像情報に基づいて他の一方のパネル部を駆動する第一２Ｄ映像用駆動部をさらに有する請求項１から３のいずれか一に記載の立体映像再生装置。
【請求項５】
両光源部のうちいずれか一方を停止させ、２Ｄ映像情報に基づいて他の一方の光源部の光を透過するようにパネル部を駆動する第二２Ｄ映像用駆動部をさらに有する請求項１から４のいずれか一に記載の立体映像再生装置。
【請求項６】
両パネル部の投影を所定量ずらさず合致させて２Ｄ映像情報に基づいて両パネル部を駆動する第三２Ｄ映像用駆動部をさらに有する請求項１から５のいずれか一に記載の立体映像再生装置。
【発明の詳細な説明】
【技術分野】
【０００１】
本発明は、第一映像と第二映像を異なる偏光方向の光によって同時に映写する立体映像再生装置に関する。
【背景技術】
【０００２】
従来、飛び出し感のある立体映像を映写する方法として、視聴者が液晶シャッターを有する特殊なメガネを使用して立体映像を視聴する方法がある（例えば、特許文献１）。この方法は、例えばプロジェクター等から右目用映像と左目用映像を交互に映写するととともに、この映写タイミングに合わせて視聴者が装着する特殊メガネの右目用と左目用の液晶シャッターが交互に開閉するように制御する。これにより、視聴者の右目には右目用映像のみが、左目には左目用映像のみが見えることになり、よって視聴者は立体映像を視聴することができるという仕組みである。
【特許文献１】特開２００１−１２５０４２号公報
【発明の開示】
【発明が解決しようとする課題】
【０００３】
しかしながら、このような液晶シャッター方式による立体映像の視聴方法では、プロジェクター等の映写タイミングとメガネの液晶シャッターの開閉タイミングの同期を正確にとることが困難である、ハードウェア構成が複雑でシステムとして高価である、視聴者の目が疲労する、等の問題があった。
【課題を解決するための手段】
【０００４】
そこで、本件発明は簡易なハードウェア構成により実現される立体映像再生装置を提案する。具体的には、光源とこの光源の光を偏光する第一偏光フィルタとからなる第一光源部と、光源とこの光源の光を第一偏光フィルタと偏光角度を変えた第二偏光フィルタとからなる第二光源部と、第一光源部からの光を透過してスクリーンに第一映像を投影する第一パネル部と、第二光源部からの光を透過して、第二パネル部から出射される光が第一パネル部から出射される光と偏光角度を変えたものとなるように、第一映像と所定量ずらして第二映像をスクリーンに投影する第二パネル部と、両パネル部を第一映像と第二映像とを生成するための３Ｄ映像情報に基づいて駆動する３Ｄ映像用駆動部と、光源、パネル部を含む光路部分を調整する光路調整部と、制御情報に基づいて光路調整部を制御する制御部と、からなり、制御部は、両光源からスクリーンまでの距離に応じて、両光源と両パネルとの距離を調整する立体映像再生装置を提案する。
【０００５】
図１は、本件発明の立体映像再生装置の概要を示す図である。本件発明にかかる立体映像再生装置は、光源０１０１ａとこの光源の光を偏光する第一偏光フィルタ０１０２によって構成される第一光源部０１０６と、この第一光源部０１０６からの光を透過して第一映像を投影するための第一パネル部０１０４を有する。また同様に、光源０１０１ｂとこの光源の光を偏光する第二偏光フィルタ０１０３によって構成される第二光源部０１０７と、この第二光源部０１０７からの光を透過して第二映像を投影するための第二パネル部０１０５も有する。すなわち、光源０１０１ａから発せられた光は第一偏光フィルタ０１０２にて偏光されて第一映像が出力されている第一パネル部０１０４に照射されることにより、第一映像０１０９がスクリーン０１０８上に投影される。このように第一映像０１０９がスクリーン０１０８上に投影されると同時に、光源０１０１ｂから発せられた光は第二偏光フィルタ０１０３にて偏光されて第二映像が出力されている第二パネル部０１０５に照射されることにより、第二映像０１１０がスクリーン０１０８上に投影される。なお、第一映像０１０９と第二映像０１１０は、所定量０１１１ずれて投影されることが特徴である。また、第一偏光フィルタ０１０２と第二偏光フィルタ０１０３の偏光方向は異なる偏光方向となっており、スクリーン０１０８上に投影される第一映像０１０９と第二映像０１１０は異なる偏光方向の光にて投影される。視聴者は、このように異なる偏光方向の光によって投影されている２つの重なった映像を偏光メガネを用いて視聴することにより、第一映像を左目で、第二映像を右目で、同時に視認することにより、これらを飛び出し感のある立体的な映像として視聴することができる。また、第一パネル部０１０４と第二パネル部０１０５は一般的に使用されている液晶パネル等を利用することが可能である。
【０００６】
また、本件発明に係る立体映像再生装置は、光源、パネル部などの光路部分を調整する光路調整部と、制御情報に基づいて光路調整部を制御する制御部と、をさらに有していてもよい。また、３Ｄ映像情報から制御情報を抽出する抽出部をさらに有していてもよい。また、制御情報の入力を受け付ける受付部をさらに有していてもよい。また、両パネル部のうちいずれか一方を停止させ、２Ｄ映像情報に基づいて他の一方のパネル部を駆動する第一２Ｄ映像用駆動部をさらに有していてもよい。また、両光源部のうちいずれか一方を停止させ、２Ｄ映像情報に基づいて他の一方の光源部の光を透過するようにパネル部を駆動する第二２Ｄ映像用駆動部をさらに有していてもよい。また、両パネル部の投影を所定量ずらさず合致させて２Ｄ映像情報に基づいて両パネル部を駆動する第三２Ｄ映像用駆動部をさらに有していてもよい。
【発明の効果】
【０００７】
以上のように、本件発明に係る立体映像再生装置は、非常に簡易なハードウェア構成にて実現することが可能である。また、両パネル部や両光源部のいずれか一方を停止させることにより立体映像再生装置を、３Ｄ映像を再生するための装置以外に２Ｄ映像を再生するための装置としても利用することができる。
【発明を実施するための最良の形態】
【０００８】
本件発明を実施するための最良の形態について図面を用いて詳細に説明する。なお、本発明はこれら実施の形態に何ら限定されるものではなく、その要旨を逸脱しない範囲において、種々なる態様で実施しうる。なお、以下の実施形態と請求項の関係は次の通りである。実施形態２は、主に請求項１、２、３などについて説明する。実施形態３は、主に請求項４などについて説明する。実施形態４は、主に請求項５などについて説明する。実施形態５は、主に請求項６などについて説明する。なお、実施形態１は、本発明の特許請求の範囲には含まれないが、本発明に関連する発明について説明する。
【０００９】
（実施形態１：概要）
【００１０】
本実施形態は、光源とこの光源の光を偏光する第一偏光フィルタとからなる第一光源部と、光源とこの光源の光を第一偏光フィルタと偏光角度を変えた第二偏光フィルタとからなる第二光源部と、第一光源部からの光を透過して第一映像を投影する第一パネル部と、第二光源部からの光を透過して第一映像と所定量ずらして第二映像を投影する第二パネル部と、両パネル部を第一映像と第二映像とを生成するための３Ｄ映像情報に基づいて駆動する３Ｄ映像用駆動部と、からなる立体映像再生装置について説明する。
【００１１】
（実施形態１：構成）
【００１２】
本実施形態に係る立体映像再生装置の機能ブロックを図２に例示する。立体映像再生装置（０２００）は、「第一光源部」（０２０１）と、「第二光源部」（０２０２）と、「第一パネル部」（０２０３）と、「第二パネル部」（０２０４）と、「３Ｄ映像用駆動部」（０２０５）と、からなる。
【００１３】
なお、以下に詳述する本件発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。（明細書の全体を通じて同様である。）
【００１４】
「第一光源部」（０２０１）は、光源とこの光源の光を偏光する第一偏光フィルタとからなる。また、「第二光源部」（０２０２）は、光源とこの光源の光を第一偏光フィルタと偏光角度を変えた第二偏光フィルタとからなる。第一光源部における「光源」と第二光源部における「光源」は、別体の光源であってもよいし、一の光源であってもよい。例えば図１の立体映像再生装置では各光源がそれぞれ別体となっている場合を表している（光源０１０１ａ、光源０１０１ｂ）。また、図３は第一光源部の光源と第二光源部の光源が一の光源である場合を示す。図３においては、第一偏光フィルタ０３０２、第二偏光フィルタ０３０３、第一パネル部０３０４、第二パネル部０３０５は図１と同様であるが、光源は光源０３０１の一つのみである。この場合、第一光源部は波線０３０６で囲まれた部分（光源０３０１と第一偏光フィルタ０３０２）が該当し、第二光源部は波線０３０７で囲まれた部分（光源０３０１と第二偏光フィルタ０３０３）が該当する。
【００１５】
また、「第一偏光フィルタと偏光角度を変えた」とは、第一偏光フィルタの偏光方向と第二偏光フィルタの偏光方向は異なる偏光方向であることを意味する。なお、第一映像が立体映像の左目用映像であり、第二映像が立体映像の右目用映像である場合は、左目用映像は第一偏光フィルタにて偏光された光により投影され、右目用映像は第二偏光フィルタにて偏光された光により投影されることになるが、この場合には第一偏光フィルタの偏光方向と第二偏光フィルタの偏光方向は互いに直交する偏光方向となっているのが一般的である。
【００１６】
「第一パネル部」（０２０３）は、第一光源部からの光を透過して第一映像を投影する。また、「第二パネル部」（０２０４）は、第二光源部からの光を透過して第一映像と所定量ずらして第二映像を投影する。「所定量」とは、例えば第一映像と第二映像がそれぞれ立体映像の左目用映像と右目用映像である場合には、視差分の量（距離）が該当する。すなわち図１で言えば、第一映像と第二映像のずれ０１１１が視差分の距離となる。また、第一パネル部と第二パネル部は光源からの光を透過する透過型パネルであり、具体的には、例えば透過型液晶パネル等により実現可能である。
【００１７】
「３Ｄ映像用駆動部」（０２０５）は、両パネル部を第一映像と第二映像とを生成するための３Ｄ映像情報に基づいて駆動する。「両パネル部」とは、第一パネル部（０２０３）と第二パネル部（０２０４）を指す。「３Ｄ映像情報」とは「第一映像と第二映像とを生成するための」情報であるが、具体的には第一映像と第二映像を構成する映像情報である場合が想定される。ただし、３Ｄ映像情報は映像情報以外にも映像情報に関する付加的な情報を含んでいてもよい。例えば、第一映像と第二映像が立体映像の左目用映像と右目用映像である場合には両者が撮影されたタイムスタンプに合わせて両者を同時に映写する必要があるが、このタイムスタンプ等が映像情報に関する付加的な情報に該当する。さらに、３Ｄ映像情報には制御情報が含まれていてもよい。「制御情報」とは、光源の向き（光軸方向）、光源やパネルの位置、などを制御するための情報である。このような制御情報が含まれていることにより、例えば第一映像と第二映像を映写するスクリーンまでの距離が変更となった場合には、その距離に合わせて光源の向きや光源等の位置を変更することができる。この点については後に詳述する。また、３Ｄ映像情報に含まれる第一映像と第二映像は別々の通信線によって別々に送信されてきてもよいし、第一映像と第二映像が混合した信号（例えば合成された信号等）として送信され、その信号から第一映像と第二映像を分離して両パネル部に出力するようになっていてもよい。また、「両パネルを・・・駆動する」とは、両パネルにそれぞれ第一映像と第二映像を出力するように制御することを意味する。つまり、具体的には例えば第一映像と第二映像を３Ｄ映像情報として受信し、受信した第一映像を第一パネル部に出力し、受信した第二映像を第二パネル部に出力するよう制御すること等が該当する。さらに、タイムスタンプ等の付加的な情報に応じて第一映像と第二映像を出力するタイミングを合わせて出力してもよい。
【００１８】
（実施形態１：効果）
【００１９】
本実施形態に係る立体映像再生装置によれば、第一映像と第二映像を別々のパネルに出力して異なる偏光方向の光によって投影するため、非常に簡易なハードウェア構成にて立体映像を再生することが可能である。
（実施形態２）
【００２０】
（実施形態２：概要）
【００２１】
本実施形態は、光源、パネル部などの光路部分を調整する光路調整部と、制御情報に基づいて光路調整部を制御する制御部と、をさらに有する立体映像再生装置について説明する。また、３Ｄ映像情報から制御情報を抽出する抽出部をさらに有する立体映像再生装置や、制御情報の入力を受け付ける受付部をさらに有する立体映像再生装置についても説明する。
【００２２】
（実施形態２：構成）
【００２３】
本実施形態に係る立体映像再生装置の機能ブロックを図４に例示する。立体映像再生装置（０４００）は、「第一光源部」（０４０１）と、「第二光源部」（０４０２）と、「第一パネル部」（０４０３）と、「第二パネル部」（０４０４）と、「３Ｄ映像用駆動部」（０４０５）と、「光路調整部」（０４０６）と、「制御部」（０４０７）と、からなる。「光路調整部」（０４０６）と「制御部」（０４０７）以外の構成については前述したとおりであるので、ここでの説明は省略する。
【００２４】
「光路調整部」（０４０６）は、光源、パネル部などの光路部分を調整する。「光源」とは、第一光源部（０４０１）と第二光源部（０４０２）に含まれる光源を指す。第一光源部と第二光源部に含まれる光源が別体となっている場合には、第一光源部の光源のみ調整する場合、第二光源部の光源のみ調整する場合、第一光源部と第二光源部の双方の光源を調整する場合があり得る。同様に、「パネル部」とは、第一パネル部（０４０３）と第二パネル部（０４０４）を指すが、第一パネル部のみを調整する場合、第二パネル部のみを調整する場合、第一パネル部と第二パネル部の双方を調整する場合があり得る。また、光源とパネル部は、光源のみを調整する場合、パネル部のみを調整する場合、光源とパネル部の双方を調整する場合があり得る。「光路部分を調整する」とは、光路の決定に関わる機構の調整を行うことを意味する。例えば、光源の光軸の調整やパネル部の向き（傾き）の調整などが該当する。
【００２５】
図５は、光路調整部における調整方法の具体例を示す。図５（ａ）は調整前の状態を示し、図５（ｂ）は調整後の状態を示す。まず、図５（ａ）においては、図１にて説明したように第一光源部の光源０５０１ａと第二光源部の光源０５０１ｂとが備えられており、第一偏光フィルタによって偏光された光源０５０１ａの光を透過して第一映像を投影する第一パネル部０５０４と、第二偏光フィルタによって偏光された光源０５０１ｂの光を透過して第二映像を投影する第二パネル部０５０５とを備える。また、両光源と両パネル部は平行に位置している。また、スクリーンに投影された第一映像０５０９ａと第二映像０５１０ａとは視差分０５１１だけずらして投影される。ここで、両光源とスクリーンまでの距離０５１１ａがＬ１であり、両光源と両パネル部は距離０５１２ａだけ離れている。ここで、例えば図５（ｂ）に示すように、両光源とスクリーンまでの距離０５１１ｂがＬ２に変化したとする。この時、第一映像０５０９ｂと第二映像０５１０ｂとを図５（ａ）の時と同じ大きさにて投影することを考えてみると、両光源と両パネル部との距離０５１２ｂは、図５（ａ）における距離０５１２ａよりも長くなるように調整しなければならない。
【００２６】
この点について、図６を用いてより詳しく説明する。図６は、図５における光源０５０１ａ、第一パネル部０５０４、第一映像０５０９の位置関係を模式的に示したものである。図５（ａ）と図５（ｂ）における光源０５０１ａの位置はそれぞれ図６においては点Ｃと点Ｅで示す位置である。また、図５（ａ）と図５（ｂ）における第一パネル部０５０４はそれぞれ図６においてはパネル０６０４ａと０６０４ｂで示している。また、図５における第一映像０５０９ａと０５０９ｂは図６においては映像０６０９で示している。すなわち、図５にて示した両光源とスクリーンの距離０５１１ａ（Ｌ１）と距離０５１１ｂ（Ｌ２）はそれぞれ図６においては点Ａから点Ｃまでの距離と点Ａから点Ｅまでの距離が該当する。また、図５にて示した両光源と両パネル部の距離０５１２ａと距離０５１２ｂはそれぞれ図６においては点Ｂから点Ｃまでの距離ｍと点Ｄから点Ｅまでの距離ｎが該当する。また、図６において第一映像０６０９の幅を'２ｘ'、第一パネル部（０６０４ａ、０６０４ｂ）の幅を'２ｙ'で表す。また、光源位置Ｃ（点Ｃ）から第一映像０６０９の端までを結ぶ直線が垂直方向に対してなす角度をα、光源位置Ｅ（点Ｅ）から第一映像０６０９の端までを結ぶ直線が垂直方向に対してなす角度をβとする。以上より、以下の式が成り立つ。
（式１）
ｔａｎα×Ｌ１＝ｘ＝ｔａｎβ×Ｌ２
ｔａｎα×ｍ  ＝ｙ＝ｔａｎβ×ｎ
これにより、Ｌ１、Ｌ２、ｍ、ｎには以下の関係が成り立つ。
（式２）
ｘ：ｙ
＝ｔａｎα×Ｌ１：ｔａｎα×ｍ
＝ｔａｎβ×Ｌ２：ｔａｎβ×ｎ
＝Ｌ１：ｍ
＝Ｌ２：ｎ
（式３）
Ｌ１：Ｌ２＝ｍ：ｎ
【００２７】
すなわち、両光源とスクリーンまでの距離がＬ１からＬ２に変化したとすると、光路調整部は、両光源と両パネル部との距離をＬ１とＬ２の比率と同じ比率にてｍからｎに調整することになる。
【００２８】
「制御部」（０４０７）は、制御情報に基づいて光路調整部を制御する。「制御情報」とは、図５、図６にて説明したように光路調整部を制御するための情報である。光路調整部を制御するための情報とは、例えば光源の向き（光軸方向）、光源やパネルの位置を示す情報等が該当する。また、これらを算出するために必要な情報であってもよい。すなわち、例えば図５、図６の例における光源からスクリーンまでの距離等を示す情報であってもよい。図７は、制御情報の具体例を示す。例えば、図７（ａ）はスクリーン距離を示し、図７（ｂ）はパネル位置を示す。制御部は、図７（ａ）のような制御情報を取得した場合には図５、図６にて説明したように両光源と両パネル部との距離を算出して光路調整部を制御し、図７（ｂ）のような制御情報を取得した場合にはこの制御情報に基づいてパネル位置を前面方向（スクリーン方向）へ２ｃｍ移動するよう光路調整部を制御する。また、制御情報は内部の他の処理機構から取得されてもよいし、外部から入力等されるようになっていてもよい。内部の他の処理機構から取得される場合とは、例えばあらかじめ立体映像再生装置内の半導体メモリ等に所定の制御情報が記憶されており半導体メモリ等からその制御情報を読み出す場合や、制御情報が３Ｄ映像情報に含まれており３Ｄ映像情報が３Ｄ映像用駆動部（０４０５）にて利用されるときに３Ｄ映像情報から分離されて制御部にて取得されるようになっている場合などが考えられる。また、制御情報が３Ｄ映像情報に含まれている場合とは、例えば第一映像と第二映像を構成する映像情報にメタデータとして付加されている場合等が想定され撮影時の再生最適化情報等が該当する。一般的に、メタデータには、映像を再生する際の光源の光軸の角度やパネル部の傾き角度等を示すデータが書き込まれている。具体的には例えば、立体映像の飛び出し感を調整するための第一映像と第二映像が成す輻輳角の角度や、より臨場感を増すための色補正の値（ＲＧＢ値など）等が書き込まれており、立体映像再生装置はこれらの値によって光路調整部を制御しながら再生することができる。
【００２９】
なお、立体（３Ｄ）映像の再生において最適な再生の一例としては、第一映像を撮影するカメラと第二映像を撮影するカメラの光軸交点までの距離と、再生時に視聴者の位置とスクリーンまでの距離とを一致させる場合がある。撮影の具体的一例としては、光軸交点距離を決定する視差（カメラ間距離）と輻輳角（視野角）を予め決定して撮影する場合がある。このように撮影した第一映像と第二映像を上記のように再生すると理想的な立体（３Ｄ）映像を視聴者は臨場感をもって楽しむことが可能となる。
【００３０】
また、立体（３Ｄ）効果をより強く、もしくは、弱く演出する撮影を行うために、視差（カメラ間距離）や輻輳角（視野角）を撮影しながら動的に変更する場合がある。しかし、立体（３Ｄ）撮影時にそのように２台のカメラ設定を変更することは困難な場合があるため、撮影時に決定した交点距離を変更したかのような同様の効果を実現するためには、再生装置が再生をする際に、第一映像と第二映像のズレを映像編集時に調整することにて可能である。この調整は、メタデータとして保持されている情報に基づいて行う。また、第一映像と第二映像を撮影するカメラそれぞれの固有特性を吸収補正するためにもメタデータにて保持する情報（色情報、レンズの３軸傾き情報）に基づいて編集時に調整を行うことにて、より正確な立体（３Ｄ）映像を再生することを実現する。メタデータは、撮影時にディレクター等の指示にて入力しても良いし、編集時に入力しても良い。
【００３１】
また、制御情報が外部から入力等される場合とは、例えば立体映像再生装置に備えられている入力キー等をユーザが操作することによって入力される場合や、通信インタフェースを介して外部の装置から入力される場合等が該当する。
【００３２】
また、立体映像再生装置は図９のような構成であってもよい。すなわち、立体映像再生装置（０９００）は、「第一光源部」（０９０１）と、「第二光源部」（０９０２）と、「第一パネル部」（０９０３）と、「第二パネル部」（０９０４）と、「３Ｄ映像用駆動部」（０９０５）と、「光路調整部」（０９０６）と、「制御部」（０９０７）と、「抽出部」（０９０８）と、からなる場合である。「抽出部」（０９０８）以外の構成については前述したとおりであるので、ここでの説明は省略する。
【００３３】
「抽出部」（０９０８）は、３Ｄ映像情報から制御情報を抽出する。すなわち、３Ｄ映像情報に制御情報が含まれていることが前提である。具体的には、例えば３Ｄ映像情報に付加されているメタデータ等として制御情報が含まれている場合等が想定される。また、この場合には３Ｄ映像用駆動部（０９０５）にて３Ｄ映像情報が取得された後に制御情報を抽出する場合と、３Ｄ映像用駆動部（０９０５）にて３Ｄ映像情報が取得される前に３Ｄ映像情報から制御情報を抽出する場合があり得る。
【００３４】
また、立体映像再生装置は図１９のような構成であってもよい。すなわち、立体映像再生装置（１９００）は、「第一光源部」（１９０１）と、「第二光源部」（１９０２）と、「第一パネル部」（１９０３）と、「第二パネル部」（１９０４）と、「３Ｄ映像用駆動部」（１９０５）と、「光路調整部」（１９０６）と、「制御部」（１９０７）と、「受付部」（１９０８）と、からなる場合である。また、さらに立体映像再生装置は抽出部を有していてもよい。「受付部」（１９０８）以外の構成については前述したとおりであるので、ここでの説明は省略する。
【００３５】
「受付部」（１９０８）は、制御情報の入力を受け付ける。「制御情報の入力」とは主に外部からの入力を指す。例えば、ユーザが立体映像再生装置に備えられている入力キー等を操作することによって制御情報が入力される場合等が該当する。
【００３６】
（実施形態２：ハードウェア上における処理の具体例）
【００３７】
図２１は、立体映像再生装置のハードウェア構成の一例を示す。以下、図２１を用いて立体映像再生装置におけるハードウェア上の処理動作について説明する。通信インタフェース（２１０２）から取得された３Ｄ映像情報は一旦、一時メモリ（２１０３）に格納された後、映像用メモリ（２１０８）を介して第一パネル部（２１０５）と第二パネル部（２１０６）に出力される。また、制御情報は通信インタフェース（２１０２）を介して、もしくは操作部（２１０１）から入力されて、一時メモリ（２１０３）に格納される。その後、制御情報に基づいて駆動系（２１０９）によって第一パネル部（２１０５）、第二パネル部（２１０６）、光源（２１０７）の位置などが調整される。また、これらの処理を実行するためのプログラムは不揮発性の記憶装置（２１０４）などに格納されており、プログラムが実行される際にメインメモリにロードされて実行される。なお、この処理動作は一例であるので他の動作方法もあり得る。
【００３８】
（実施形態２：処理の流れ）
【００３９】
図８は、立体映像再生装置が図４に例示した構成である場合の処理の流れを示すフロー図である。最初に、制御情報を取得する（Ｓ０８０１）。次に、制御情報に基づいて光路調整部を制御する（Ｓ０８０２）。また、立体映像再生装置は図８に示した処理以外に、３Ｄ映像情報を取得して第一パネル部と第二パネル部にそれぞれ第一映像と第二映像を出力する処理を実行する。
【００４０】
また、図１０は、立体映像再生装置が図９に例示した構成である場合の処理の流れを示すフロー図である。最初に、３Ｄ映像情報から制御情報を抽出する（Ｓ１００１）。次に、制御情報を取得する（Ｓ１００２）。次に、制御情報に基づいて光路調整部を制御する（Ｓ１００３）。
【００４１】
また、図２０は、立体映像再生装置が図１９に例示した構成である場合の処理の流れを示すフロー図である。最初に、制御情報の入力を受け付ける（Ｓ２００１）。次に、制御情報を取得する（Ｓ２００２）。次に、制御情報に基づいて光路調整部を制御する（Ｓ２００３）。
【００４２】
（実施形態２：効果）
【００４３】
本実施形態に係る立体映像再生装置によれば、適宜、光路の調整を行うことが可能であるので、例えば立体映像再生装置とスクリーンとの距離が変更になったような場合であっても状況に合わせて適切に立体映像を投影することが可能である。
（実施形態３）
【００４４】
（実施形態３：概要）
【００４５】
本実施形態は、両パネル部のうちいずれか一方を停止させ、２Ｄ映像情報に基づいて他の一方のパネル部を駆動する第一２Ｄ映像用駆動部をさらに有する立体映像再生装置について説明する。
【００４６】
（実施形態３：構成）
【００４７】
本実施形態に係る立体映像再生装置の機能ブロックを図１１に例示する。立体映像再生装置（１１００）は、「第一光源部」（１１０１）と、「第二光源部」（１１０２）と、「第一パネル部」（１１０３）と、「第二パネル部」（１１０４）と、「３Ｄ映像用駆動部」（１１０５）と、「第一２Ｄ映像用駆動部」（１１０６）と、からなる。また、さらに立体映像再生装置は光路調整部と制御部を有していてもよく、加えて抽出部を有していてもよく、さらに受付部を有していてもよい。「第一２Ｄ映像用駆動部」（１１０６）以外の構成については前述したとおりであるので、ここでの説明は省略する。
【００４８】
「第一２Ｄ映像用駆動部」（１１０６）は、両パネル部のうちいずれか一方を停止させ、２Ｄ映像情報に基づいて他の一方のパネル部を駆動する。「両パネル部のうちいずれか一方を停止させ」とは、いずれかのパネル部が映像（第一映像もしくは第二映像）を出力させないことを意味し、具体的には、パネル部の電源をＯＦＦにする場合やパネル部の電源はＯＮのままであるが映像を出力しない場合等が考えられる。
【００４９】
図１２は、第一２Ｄ映像用駆動部による駆動方法の具体例を示す。図１２においては、第一パネル部１２０４は第一映像を出力させ、第二パネル部１２０５は停止させる場合を示している。なお、図１２においては第一光源部の光源と第二光源部の光源が一の光源１２０１である場合を示しているが、このような場合には、光源１２０１の光も半減させると省電力となり好適である。以上により、スクリーン１２０８上には第一光源部１２０６からの光を透過して第一パネル部１２０４によって第一映像１２０９が投影されることになる。つまり、第二パネル部１２０５が駆動しないことによりスクリーン上には第二映像が投影されないため、結果的に２Ｄ表示を行うことができる。
【００５０】
また、「２Ｄ映像情報」とは、主には第一映像もしくは第二映像を構成する映像情報が該当するが、映像情報以外の情報を含んでいてもよい。例えばいずれのパネル部を駆動するかを明示する情報等を含んでいてもよい。図１３は、２Ｄ映像情報の具体例を示す。図１３の例においては、左パネル（第一パネル部）の電源をＯＮにし、右パネル（第二パネル部）の電源をＯＦＦにし、両光源の電源はＯＮとすることを示している。第一２Ｄ映像用駆動部は、このような２Ｄ映像情報を取得して両パネル部を制御することにより２Ｄ表示を行う。
【００５１】
（実施形態３：処理の流れ）
【００５２】
図２２は、本実施形態に係る立体映像再生装置における処理の流れを示すフロー図である。最初に、２Ｄ映像情報を取得する（Ｓ２２０１）。次に、２Ｄ映像情報に基づいて第一パネル部を駆動するか判断する（Ｓ２２０２）。ここでの判断が第一パネル部を駆動するとの判断である場合には、第一パネル部を駆動し第二パネル部を停止する（Ｓ２２０３）。ここでの判断が第一パネル部を駆動しないとの判断である場合には、第一パネル部を停止し第二パネル部を駆動する（Ｓ２２０４）。
【００５３】
（実施形態３：効果）
【００５４】
本実施形態に係る立体映像再生装置によれば、両パネル部のうちいずれか一方を停止させるだけで、立体映像再生装置を２Ｄ映像の再生装置として利用することができる。
（実施形態４）
【００５５】
（実施形態４：概要）
【００５６】
本実施形態は、両光源部のうちいずれか一方を停止させ、２Ｄ映像情報に基づいて他の一方の光源部の光を透過するようにパネル部を駆動する第二２Ｄ映像用駆動部をさらに有する立体映像再生装置について説明する。
【００５７】
（実施形態４：構成）
【００５８】
本実施形態に係る立体映像再生装置の機能ブロックを図１４に例示する。立体映像再生装置（１４００）は、「第一光源部」（１４０１）と、「第二光源部」（１４０２）と、「第一パネル部」（１４０３）と、「第二パネル部」（１４０４）と、「３Ｄ映像用駆動部」（１４０５）と、「第二２Ｄ映像用駆動部」（１４０６）と、からなる。また、さらに立体映像再生装置は光路調整部と制御部を有していてもよく、加えて抽出部を有していてもよく、さらに受付部を有していてもよい。また、さらに立体映像再生装置は第一２Ｄ映像用駆動部を有していてもよい。「第二２Ｄ映像用駆動部」（１４０６）以外の構成については前述したとおりであるので、ここでの説明は省略する。
【００５９】
「第二２Ｄ映像用駆動部」（１４０６）は、両光源部のうちいずれか一方を停止させ、２Ｄ映像情報に基づいて他の一方の光源部の光を透過するようにパネル部を駆動する。「両光源部のうちいずれか一方を停止させ」とは、第一光源部もしくは第二光源部を動作させないことを意味し、より具体的には第一光源部に含まれる光源もしくは第二光源部に含まれる光源を動作させないことを意味する。動作させないとは、具体的には電源をＯＦＦにすること等が該当する。
【００６０】
図１５は、第二２Ｄ映像用駆動部による駆動方法の具体例を示す。図１５においては、第一パネル部１５０４と第二パネル部１５０５はそれぞれ第一映像、第二映像を出力させ、第一光源部１５０６の光源１５０１ａは動作させ、第二光源部１５０７の光源１５０１ｂは停止させる場合を示す。つまり、第二パネル部１５０５には第二映像が出力されているが、第二光源部１５０７の光源１５０１ｂは電源がＯＦＦになっているので、第二映像はスクリーン１５０８上に投影されない。よって、第一パネル部１５０４による第一映像１５０９のみがスクリーン１５０８上に投影されることになり、これにより２Ｄ表示を行うことができる。
【００６１】
（実施形態４：処理の流れ）
【００６２】
図１８は、本実施形態に係る立体映像再生装置における処理の流れを示すフロー図である。最初に、２Ｄ映像情報を取得する（Ｓ１８０１）。次に、２Ｄ映像情報に基づいて第一光源部を駆動するか判断する（Ｓ１８０２）。ここでの判断が第一光源部を駆動するとの判断である場合には、第一光源部を駆動し第二光源部を停止する（Ｓ１８０３）。ここでの判断が第一光源部を駆動しないとの判断である場合には、第一光源部を停止し第二光源部を駆動する（Ｓ１８０４）。
【００６３】
（実施形態４：効果）
【００６４】
本実施形態に係る立体映像再生装置によれば、両光源部部のうちいずれか一方を停止させるだけで、立体映像再生装置を２Ｄ映像の再生装置として利用することができる。
（実施形態５）
【００６５】
（実施形態５：概要）
【００６６】
本実施形態は、両パネル部の投影を所定量ずらさず合致させて２Ｄ映像情報に基づいて両パネル部を駆動する第三２Ｄ映像用駆動部をさらに有する立体映像再生装置について説明する。
【００６７】
（実施形態５：構成）
【００６８】
本実施形態に係る立体映像再生装置の機能ブロックを図１６に例示する。立体映像再生装置（１６００）は、「第一光源部」（１６０１）と、「第二光源部」（１６０２）と、「第一パネル部」（１６０３）と、「第二パネル部」（１６０４）と、「３Ｄ映像用駆動部」（１６０５）と、「第三２Ｄ映像用駆動部」（１６０６）と、からなる。また、さらに立体映像再生装置は光路調整部と制御部を有していてもよく、加えて抽出部を有していてもよく、さらに受付部を有していてもよい。また、さらに立体映像再生装置は第一２Ｄ映像用駆動部を有していてもよい。また、さらに立体映像再生装置は第二２Ｄ映像用駆動部を有していてもよい。「第三２Ｄ映像用駆動部」（１６０６）以外の構成については前述したとおりであるので、ここでの説明は省略する。
【００６９】
「第三２Ｄ映像用駆動部」（１６０６）は、両パネル部の投影を所定量ずらさず合致させて２Ｄ映像情報に基づいて両パネル部を駆動する。図１７は、第三２Ｄ映像用駆動部による駆動方法の具体例を示す。図１７においては、「両パネル部の投影を所定量ずらさず合致させる」方法として、第一パネル部１７０４と第二パネル部１７０５の向きを中央方向へ向ける場合を示している。これにより、第一パネル部１７０４により投影される第一映像１７０９と第二パネル部１７０５により投影される第二映像１７１０とがスクリーン１７０８上においてその位置が合致するように投影することができる。また、第一映像と第二映像がそれぞれ立体映像の左目用映像と右目用映像である場合において、よりリアルな立体映像を見せる場合には左目用映像と右目用映像は同一の映像ではなくカメラアングルが若干異なる映像となっている。しかし、左目用映像と右目用映像として同一の映像を利用し、これらを視差分ずらして投影することにより簡易な立体映像を構成する場合もあり、このような場合には左目用映像と右目用映像を所定量（視差分）ずらさずに合致させれば、通常の一枚の映像と同じように見せることができる。つまり、両パネル部の投影を所定量ずらすことにより立体映像再生装置を３Ｄ映像の再生装置として使用することができ、両パネル部の投影を所定量ずらさず合致させることにより立体映像再生装置を２Ｄ映像の再生装置としても利用することができる。
【００７０】
（実施形態５：効果）
【００７１】
本実施形態に係る立体映像再生装置によれば、両パネル部の投影を所定量ずらさず合致させるだけで、立体映像再生装置を２Ｄ映像の再生装置として利用することができる。
【図面の簡単な説明】
【００７２】
【図１】本件発明の立体映像再生装置の概要図
【図２】実施形態１に係る立体映像再生装置の機能ブロック図
【図３】第一光源部の光源と第二光源部の光源が一の光源である場合の一例図
【図４】実施形態２に係る立体映像再生装置の機能ブロック図
【図５】光路調整部における調整方法の一例図
【図６】光路調整部における調整方法を具体的に説明する図
【図７】制御情報の一例図
【図８】実施形態２に係る立体映像再生装置の処理の流れを示すフロー図
【図９】実施形態２に係る立体映像再生装置の機能ブロック図
【図１０】実施形態２に係る立体映像再生装置の処理の流れを示すフロー図
【図１１】実施形態３に係る立体映像再生装置の機能ブロック図
【図１２】第一２Ｄ映像用駆動部による駆動方法の一例図
【図１３】２Ｄ映像情報の一例図
【図１４】実施形態４に係る立体映像再生装置の機能ブロック図
【図１５】第二２Ｄ映像用駆動部による駆動方法の一例図
【図１６】実施形態５に係る立体映像再生装置の機能ブロック図
【図１７】第三２Ｄ映像用駆動部による駆動方法の一例図
【図１８】実施形態４に係る立体映像再生装置の処理の流れを示すフロー図
【図１９】実施形態２に係る立体映像再生装置の機能ブロック図
【図２０】実施形態２に係る立体映像再生装置の処理の流れを示すフロー図
【図２１】立体映像再生装置のハードウェア構成の一例図
【図２２】実施形態３に係る立体映像再生装置の処理の流れを示すフロー図
【符号の説明】
【００７３】
０１０１ａ  光源
０１０１ｂ  光源
０１０２    第一偏光フィルタ
０１０３    第二偏光フィルタ
０１０４    第一パネル部
０１０５    第二パネル部
０１０６    第一光源部
０１０７    第二光源部
０１０８    スクリーン
０１０９    第一映像
０１１０    第二映像
【図１】
0005023362.tif 000002
【図２】
0005023362.tif 000003
【図３】
0005023362.tif 000004
【図４】
0005023362.tif 000005
【図５】
0005023362.tif 000006
【図６】
0005023362.tif 000007
【図７】
0005023362.tif 000008
【図８】
0005023362.tif 000009
【図９】
0005023362.tif 000010
【図１０】
0005023362.tif 000011
【図１１】
0005023362.tif 000012
【図１２】
0005023362.tif 000013
【図１３】
0005023362.tif 000014
【図１４】
0005023362.tif 000015
【図１５】
0005023362.tif 000016
【図１６】
0005023362.tif 000017
【図１７】
0005023362.tif 000018
【図１８】
0005023362.tif 000019
【図１９】
0005023362.tif 000020
【図２０】
0005023362.tif 000021
【図２１】
0005023362.tif 000022
【図２２】
0005023362.tif 000023